(57)【特許請求の範囲】
【請求項１】
アップリンクバーストオーバーヘッドパラメータの管理方法であって、
光回線終端装置(OLT)又は光ネットワークユニット(ONU)が前記OLTと前記ONUとの間のダウンリンクの伝送品質を検出することと、
前記OLT又は前記ONUは前記伝送品質によって前記ONUに適用するアップリンクバーストオーバーヘッドパラメータを確定することと、
前記ONUは、自体により確定した、又は前記OLTにより指示した切り替え時間後に前記ONUに適用するアップリンクバーストオーバーヘッドパラメータを使用し始めることを含む。
【請求項２】
OLT又はONUが前記OLTと前記ONUとの間のダウンリンクの伝送品質を検出するステップの前に、前記方法は、 
前記OLTは、異なる等級のリンク品質に対して、N種のアップリンクバーストオーバーヘッドパラメータ集合を確定して標識し、そのうち、Nが零よりも大きい整数であることと、
前記OLTは、デフォルトされた1種の、アップリンクバーストオーバーヘッドパラメータ集合のパラメータ値又はアップリンクバーストオーバーヘッドパラメータ集合の標識を、前記ONUに送信し、前記ONUは、待ち状態で前記アップリンクバーストオーバーヘッドパラメータ集合のパラメータ値又はアップリンクバーストオーバーヘッドパラメータ集合標識を受信し、且つ当該アップリンクバーストオーバーヘッドパラメータ集合を使用することと、或いは、
前記OLTは、1種以上のアップリンクバーストオーバーヘッドパラメータ集合のパラメータ値又はアップリンクバーストオーバーヘッドパラメータ集合標識を、前記ONUに送信し、前記ONUは、待ち状態で前記一種以上のアップリンクバーストオーバーヘッドパラメータ集合のパラメータ値又はアップリンクバーストオーバーヘッドパラメータ集合標識を受信し、且つその中の1種のアップリンクバーストオーバーヘッドパラメータ集合を使用することをさらに含む請求項1に記載の方法。
【請求項３】
ONUはアップリンクバーストオーバーヘッドパラメータ集合のパラメータ値又はアップリンクバーストオーバーヘッドパラメータ集合標識を受信するステップの後、前記方法は、前記ONUがシリアル番号状態に進入することをさらに含み、
OLTは前記OLTと前記ONUとの間のダウンリンクの伝送品質を検出するステップは、ONUのシリアル番号状態で、前記OLTが前記ONUと前記OLTとの間のダウンリンクを検出して、前記ダウンリンクの品質情報を知ることを含み、
前記OLTは前記伝送品質によって前記ONUに適用するアップリンクバーストオーバーヘッドパラメータを確定するステップは、前記OLTが前記ダウンリンクの品質情報によって前記ONUに適用するアップリンクバーストオーバーヘッドパラメータ集合を確定し、ユニキャストメッセージ又はマルチキャストメッセージによって前記ONUに適用するアップリンクバーストオーバーヘッドパラメータ集合におけるパラメータ値或いはONUに適用するアップリンクバーストオーバーヘッドパラメータ集合の標識を、前記ONUに通知することを含む請求項2に記載の方法。
【請求項４】
ONUはアップリンクバーストオーバーヘッドパラメータ集合のパラメータ値又はアップリンクバーストオーバーヘッドパラメータ集合標識を受信するステップの後、前記方法は、前記ONUがシリアル番号状態に進入することをさらに含み、
ONUは前記OLTと前記ONUとの間のダウンリンクの伝送品質を検出するステップは、ONUのシリアル番号状態で、前記ONUが前記ONUと前記OLTとの間のダウンリンクを検出し、前記ダウンリンクの品質情報を知ることを含み、
前記ダウンリンクの品質情報を知るステップの後、前記方法は、前記ONUが前記ダウンリンクの品質情報を前記OLTに通知することを含み、
前記OLTは前記伝送品質によって前記ONUに適用するアップリンクバーストオーバーヘッドパラメータを確定するステップは、前記OLTが前記ダウンリンクの品質情報によって前記ONUに適用するアップリンクバーストオーバーヘッドパラメータ集合を確定し、ユニキャストメッセージ又はマルチキャストメッセージによって前記ONUに適用するアップリンクバーストオーバーヘッドパラメータ集合におけるパラメータ値或いはONUに適用するアップリンクバーストオーバーヘッドパラメータ集合の標識を、前記ONUに通知することを含む請求項2に記載の方法。
【請求項５】
ONUはアップリンクバーストオーバーヘッドパラメータ集合のパラメータ値又はアップリンクバーストオーバーヘッドパラメータ集合標識を受信するステップの後、前記方法は、前記ONUがシリアル番号状態に進入することを含み、
ONUは前記OLTと前記ONUとの間のダウンリンクの伝送品質を検出するステップは、ONUのシリアル番号状態で、前記ONUが前記ONUと前記OLTとの間のダウンリンクを検出し、前記ダウンリンクの品質情報を知ることを含み、
前記ONUは前記伝送品質によって前記ONUに適用するアップリンクバーストオーバーヘッドパラメータを確定するステップは、前記ONUが前記ダウンリンクの品質情報によって前記ONUに適用するアップリンクバーストオーバーヘッドパラメータ集合を確定し、ユニキャストメッセージ又はマルチキャストメッセージによって前記ONUに適用するアップリンクバーストオーバーヘッドパラメータ集合におけるパラメータ値或いはONUに適用するアップリンクバーストオーバーヘッドパラメータ集合の標識を、前記OLTに通知することを含む請求項2に記載の方法。
【請求項６】
前記OLTは、確定したアップリンクバーストオーバーヘッドパラメータ集合におけるパラメータ値或いはアップリンクバーストオーバーヘッドパラメータ集合の標識を、前記ONUに通知するステップの同時又は後に、或いは、前記ONUは、前記アップリンクバーストオーバーヘッドパラメータ集合におけるパラメータ値或いはアップリンクバーストオーバーヘッドパラメータ集合の標識を、前記OLTに通知するステップの同時又は後に、前記方法は、前記OLTがONUの帯域幅割り当てのマーク領域にアップリンクバーストオーバーヘッドパラメータの切替インデックス値を設置し、ダウンリンクフレームによって前記ONUへ送信することをさらに含み、前記ONUは前記OLTが指示した切り替え時間の後に前記アップリンクバーストオーバーヘッドパラメータを使用し始めるステップは、前記ONUが前記切替インデックス値を受信した後、次のフレームにおいて前記ONUに適用するアップリンクバーストオーバーヘッドパラメータを使用することを含み、或いは、
前記OLTは、確定したアップリンクバーストオーバーヘッドパラメータ集合におけるパラメータ値或いはアップリンクバーストオーバーヘッドパラメータ集合の標識を、前記ONUに通知するステップの同時又は後に、或いは、前記ONUは、前記アップリンクバーストオーバーヘッドパラメータ集合におけるパラメータ値或いはアップリンクバーストオーバーヘッドパラメータ集合の標識を、前記OLTに通知するステップの同時又は後に、前記方法は、前記OLTが前記ONUへスーパーフレーム番号を通知することをさらに含み、前記ONUは前記OLTが指示した切り替え時間の後に前記アップリンクバーストオーバーヘッドパラメータを使用し始めるステップは、前記ONUが前記スーパーフレーム番号を受信した後、前記スーパーフレーム番号が指示したフレームは到達した後、前記ONUに適用するアップリンクバーストオーバーヘッドパラメータを使用し始めることを含み、或いは、
前記OLTは、確定したアップリンクバーストオーバーヘッドパラメータ集合におけるパラメータ値或いはアップリンクバーストオーバーヘッドパラメータ集合の標識を、前記ONUに通知するステップの同時又は後に、或いは、前記ONUは、前記アップリンクバーストオーバーヘッドパラメータ集合におけるパラメータ値或いはアップリンクバーストオーバーヘッドパラメータ集合の標識を、前記OLTに通知するステップの同時又は後に、前記方法は、前記ONUが前記OLTへスーパーフレーム番号を通知することをさらに含み、前記ONUが自体により確定した切り替え時間の後に前記アップリンクバーストオーバーヘッドパラメータを使用し始めるステップは、前記ONUは、前記スーパーフレーム番号が指示したフレームが到達した後に、前記ONUに適用するアップリンクバーストオーバーヘッドパラメータを使用し始めることを含む請求項3、4又は5に記載の方法。
【請求項７】
前記アップリンクバーストオーバーヘッドパラメータ集合は前方誤り訂正状態、デリミターパラメータ、プリアンブルパラメータ、及び保護帯域幅パラメータを含む請求項3、4又は5に記載の方法。
【請求項８】
前記OLTは1種以上の、アップリンクバーストオーバーヘッドパラメータ集合のパラメータ値又はアップリンクバーストオーバーヘッドパラメータ集合標識を、前記ONUに送信するステップにおいて、前記OLTは1種又は多種の、アップリンクバーストオーバーヘッドパラメータ集合のパラメータ値又はアップリンクバーストオーバーヘッドパラメータ集合の標識を、それと互いに通信したすべてのONU又はその中の1つ又はいくつかのONUに送信する請求項2に記載の方法。
【請求項９】
第1のパラメータ取得モジュール及び切替モジュールを含むアップリンクバーストオーバーヘッドパラメータを管理する光ネットワークユニット(ONU)であって、
前記第1のパラメータ取得モジュールは、
前記光回線終端装置(OLT)と前記ONUとの間のダウンリンクの伝送品質を検出し、又は光回線終端装置(OLT)が送信した、前記OLTが検出して得られたダウンリンクの伝送品質を受信し、前記伝送品質によってONUに適用するアップリンクバーストオーバーヘッドパラメータを確定し、且つ前記ONUに適用するアップリンクバーストオーバーヘッドパラメータを前記OLTに送信し、或いは、
前記OLTと前記ONUとの間のダウンリンクの伝送品質を検出し、前記伝送品質を前記OLTに送信し、且つ前記OLTが送信した、前記伝送品質によって確定した、ONUに適用するアップリンクバーストオーバーヘッドパラメータを受信し、或いは、
前記OLTから、前記OLTが確定した、ONUに適用するアップリンクバーストオーバーヘッドパラメータを直接に受信し、及び、
確定した前記ONUに適用するアップリンクバーストオーバーヘッドパラメータを前記OLTに通知する同時又は後に、或いは、OLTが送信した、前記ONUに適用するアップリンクバーストオーバーヘッドパラメータを受信する同時又は後に、前記切替モジュールを指示する、ように設置され、
前記切替モジュールは、
前記第1のパラメータ取得モジュールの指示を受信する同時又は後に、切替時間の又は前記OLTの指示を受信する切り替え時間を確定し、自体により確定した切り替え時間或いは前記OLTが指示した切り替え時間の後に前記ONUに適用するアップリンクバーストオーバーヘッドパラメータを使用し始める、ように設置される。
【請求項１０】
バーストオーバーヘッドパラメータ集合受信モジュールをさらに含み、それは、
待ち状態で、前記OLTは、異なる等級のリンク品質に対して、N種のアップリンクバーストオーバーヘッドパラメータ集合を確定して標識した後、前記ONUへ送信した、デフォルトした1種の、アップリンクバーストオーバーヘッドパラメータ集合のパラメータ値又はアップリンクバーストオーバーヘッドパラメータ集合の標識を受信し、且つ当該アップリンクバーストオーバーヘッドパラメータ集合を使用し、或いは、
待ち状態で、前記OLTは、異なる等級のリンク品質に対して、N種のアップリンクバーストオーバーヘッドパラメータ集合を確定して標識した後、前記ONUへ送信した1種以上の、アップリンクバーストオーバーヘッドパラメータ集合のパラメータ値又はアップリンクバーストオーバーヘッドパラメータ集合標識を受信し、且つその中の1種のアップリンクバーストオーバーヘッドパラメータ集合を使用し、
そのうち、Nが零よりも大きい整数であるように設置される請求項9に記載のONU。
【請求項１１】
前記切替モジュールは、さらに、前記第1のパラメータ取得モジュールの指示を受信する同時又は後に、前記OLTはダウンリンクフレームによって前記ONUへ送信した、前記OLTがONUの帯域幅割り当てのマーク領域に、設置したアップリンクバーストオーバーヘッドパラメータの切替インデックス値を受信するように設置され、及び、前記切替モジュールは、前記切替インデックス値を受信した後、次のフレームに前記アップリンクバーストオーバーヘッドパラメータを使用するように、前記OLTが指示した切り替え時間の後に前記アップリンクバーストオーバーヘッドパラメータを使用し始めるように設置され、或いは、
前記切替モジュールは、さらに、前記第1のパラメータ取得モジュールの指示を受信する同時又は後に、前記OLTが前記ONUへ通知したスーパーフレーム番号を受信するように設置され、及び、前記切替モジュールは、前記スーパーフレーム番号が指示したフレームは到達した後に、前記アップリンクバーストオーバーヘッドパラメータを使用し始めるように、前記OLTが指示した切り替え時間の後に前記アップリンクバーストオーバーヘッドパラメータを使用し始めるように設置され、或いは
前記切替モジュールは、さらに、前記第1のパラメータ取得モジュールの指示を受信する同時又は後に、前記OLTへスーパーフレーム番号を通知するように設置され、及び、前記ONUは、前記スーパーフレーム番号が指示したフレームは到達した後に、前記アップリンクバーストオーバーヘッドパラメータを使用し始めるように、自体により確定した切り替え時間の後に前記アップリンクバーストオーバーヘッドパラメータを使用し始めるように設置される請求項9に記載のONU。
【請求項１２】
第2のパラメータ取得モジュール及び切り替え時間送受信モジュールを含むアップリンクバーストオーバーヘッドパラメータを管理する光回線終端装置(OLT)であって、
前記第2のパラメータ取得モジュールは、
前記OLTと光ネットワークユニット(ONU)との間のダウンリンクの伝送品質を検出し、前記伝送品質を前記ONUへ送信し、且つ前記ONUは前記OLTが送信した伝送品質によって確定された、ONUに適用するアップリンクバーストオーバーヘッドパラメータを受信し、或いは、
前記OLTと光ネットワークユニット(ONU)との間のダウンリンクの伝送品質を検出して、前記伝送品質によって前記ONUに適用するアップリンクバーストオーバーヘッドパラメータを確定し、且つ確定した、前記ONUに適用するアップリンクバーストオーバーヘッドパラメータを前記ONUに通知し、或いは、
前記ONUが送信した、前記ONUが検出して得られたダウンリンクの伝送品質を受信し、前記伝送品質によってONUに適用するアップリンクバーストオーバーヘッドパラメータを確定し、且つ確定した、前記ONUに適用するアップリンクバーストオーバーヘッドパラメータを前記ONUに通知し、或いは、
前記ONUが送信した、前記ONUの自体により検出して得られたダウンリンクの伝送品質によって確定された、ONUに適用するアップリンクバーストオーバーヘッドパラメータを受信し、及び、
確定した、前記ONUに適用するアップリンクバーストオーバーヘッドパラメータを前記ONUに通知する同時又は後に、或いは、ONUが送信した、前記ONUに適用するアップリンクバーストオーバーヘッドパラメータを受信する同時又は後に、前記切り替え時間送受信モジュールを指示する、ように設置され、
前記切り替え時間送受信モジュールは、
前記第2のパラメータ取得モジュールの指示を受信する同時又は後に、前記ONUへ切り替え時間を指示する或いは前記ONUが送信した切り替え時間を受信して、前記ONUに、前記切り替え時間の後に前記アップリンクバーストオーバーヘッドパラメータを使用し始めさせる、ように設置される。
【請求項１３】
アップリンクバーストオーバーヘッドパラメータ集合の取得モジュールをさらに含み、それは、異なる等級のリンク品質に対してN種のアップリンクバーストオーバーヘッドパラメータ集合を確定して標識し、そのうち、Nが零よりも大きい整数であり、及び、デフォルトした1種の、アップリンクバーストオーバーヘッドパラメータ集合のパラメータ値又は標識を、前記ONUに送信し、或いは、アップリンクバーストオーバーヘッドパラメータ集合のパラメータ値又はアップリンクバーストオーバーヘッドパラメータ集合の標識を前記ONUに1種以上送信し、
前記ONUに、待ち状態で、アップリンクバーストオーバーヘッドパラメータ集合のパラメータ値又はアップリンクバーストオーバーヘッドパラメータの標識を1種受信させ、且つ当該アップリンクバーストオーバーヘッドパラメータ集合を使用させ、或いは、待ち状態で、前記1種以上の、アップリンクバーストオーバーヘッドパラメータ集合のパラメータ値又はアップリンクバーストオーバーヘッドパラメータ集合のアップリンクバーストオーバーヘッドパラメータの標識を受信させた後、その中の1種のアップリンクバーストオーバーヘッドパラメータ集合を使用させるように設置される請求項12に記載のOLT。
【請求項１４】
前記切り替え時間送受信モジュールは、ONUの帯域幅割り当てのマーク領域に、アップリンクバーストオーバーヘッドパラメータの切替インデックス値を設置し、ダウンリンクフレームによって前記ONUへ送信し、前記ONUに、前記切替インデックス値を受信した後、次のフレームに前記アップリンクバーストオーバーヘッドパラメータを使用させるように、前記ONUへ切り替え時間を指示する、ように設置され、或いは、
前記切り替え時間送受信モジュールは、前記ONUへスーパーフレーム番号を通知して、前記ONUに、前記OLTの前記スーパーフレーム番号が指示したフレームが到達した後に、前記アップリンクバーストオーバーヘッドパラメータを使用し始めさせるように、前記ONUへ切り替え時間を指示する、ように設置され、或いは、
前記切り替え時間送受信モジュールは、前記ONTが通知したスーパーフレーム番号を受信して、前記ONUに、前記スーパーフレーム番号が指示したフレームが到達した後に、前記アップリンクバーストオーバーヘッドパラメータを使用し始めさせるように、前記ONUが送信した切り替え時間を受信する、ように設置される請求項12に記載のOLT。
【発明の詳細な説明】
【技術分野】
【０００１】
本発明は、光通信技術分野に関し、特に受動光ネットワーク(Passive Optical Network、PONと略称する)システムにおける光回線終端装置(Optical Line Terminal、OLTと略称する)と光ネットワークユニット(Optical Network Unit、ONUと略称する)との間に用いられ、使用されたアップリンクバーストオーバーヘッドパラメータに対する割り当て及び管理方法並びに受動光ネットワークシステムに関する。
【背景技術】
【０００２】
PON技術において、OLTとONUとの間は、双方が一致するアップリンクバーストオーバーヘッドパラメータをいずれも有する必要があり、ONUが確定したアップリンクバーストオーバーヘッドパラメータに応じてアップリンクフレームを送信し、OLTも確定したアップリンクバーストオーバーヘッドパラメータに応じてアップリンクフレームを正確に受信し、このような前提条件に基づいて、PONが正常に稼動する。一般的に、このようなアップリンクバーストオーバーヘッドパラメータは、
(1)前方誤り訂正(Forward Error Correction、FECと略称する)状態(オンあるいはオフ)と、
(2)長くなることができ、異なる光ファイバーリンク品質に適応するデリミター(Delimiter)パラメータと、
(3)常に、固定値であるが、多種の固定値から選択することができ、異なる光ファイバーリンク品質及び光モジュールの性能とも関連するプリアンブル(Preamble)パラメータと、
(4)ビットのビット数が一般的に固定的な長さである保護帯域幅(Guard time)パラメータを含む。
【０００３】
従来のITU G.984.3 GPON技術標準において、これらのアップリンクバーストオーバーヘッドパラメータが、OLTとONUとの間に、以下の方法に応じて確定され、OLTは、周期的に始動する登録過程中に、それと通信したすべてのONUへOLTが使用する必要な一部のアップリンクバーストオーバーヘッドパラメータを放送し、上記アップリンクバーストオーバーヘッドパラメータにおけるパラメータ(2)(3)(4)を含む。図1に示すように、ONUは、ダウンリンク物理層の同期を取得して待ち状態(即ち、O2状態)に進入した後、ダウンリンクOLTが放送する、一部のアップリンクバーストオーバーヘッドパラメータが載せられたメッセージをずっと傍受し、受信に成功すれば、載せられたアップリンクバーストオーバーヘッドパラメータを記録して、シリアル番号状態(即ち、O3状態)に遷移し、且つ後続のアップリンク稼動過程において、受信されたこれらのアップリンクバーストオーバーヘッドパラメータをずっと使用し、再び変更しない。
【０００４】
また、ギガビット受動光ネットワーク(Gigabit Passive Optical Network、GPONと略称する)の従来の標準において、アップリンクバーストオーバーヘッドパラメータにおけるパラメータ(1)FECの状態の通知機構も上記(2)(3)(4)パラメータの通信機構から独立する。パラメータ(1)FECの開閉の通知は、ダウンリンクフレームの帯域幅割り当て領域における各ONUの各アップリンクバースト帯域幅割り当てのマーク領域の一定の指示ビットによってリアルタイムに指示を行う。
【発明の開示】
【発明が解決しようとする課題】
【０００５】
実際の実現には、従来の技術が2つの問題がある。
【０００６】
複雑度問題：GPONシステムには、アップリンクバーストオーバーヘッドパラメータに対する指示を別々に行って、複雑度が高い。
【０００７】
効率問題：GPONシステムには、ONUがプリアンブル、デリミター等のアップリンクバーストオーバーヘッドパラメータを確定した後にいずれも再び更新しなく、幾つかのリンクの品質を向上させた後、短いプリアンブルパラメータを使用してアップリンク通信を行うことを許容する場合に、協議するための相応の機構も提供されなく、最初のアップリンクバーストオーバーヘッドパラメータを使用してアップリンク通信を行わざるをえなく、このように、十分に柔軟しなく、且つ帯域幅の効率も線路品質の改善につれて向上させない。
【０００８】
本発明は、帯域幅の利用率を向上させる、光アクセスノードの間のアップリンクバーストオーバーヘッドパラメータの管理方法を提供することを解決しようとする技術問題とする。
【課題を解決するための手段】
【０００９】
上記問題を解決するために、本発明は、アップリンクバーストオーバーヘッドパラメータの管理方法を提供し、
光回線終端装置(OLT)又は光ネットワークユニット(ONU)が前記OLTと前記ONUとの間のダウンリンクの伝送品質を検出することと、
前記OLT又は前記ONUは前記伝送品質によって前記ONUに適用するアップリンクバーストオーバーヘッドパラメータを確定することと、
前記ONUは、自体により確定した、又は前記OLTにより指示した切り替え時間後に前記ONUに適用するアップリンクバーストオーバーヘッドパラメータを使用し始めることを含む。
【００１０】
OLT又はONUが前記OLTと前記ONUとの間のダウンリンクの伝送品質を検出するステップの前に、前記方法は、 
前記OLTは、異なる等級のリンク品質に対して、N種のアップリンクバーストオーバーヘッドパラメータ集合を確定して標識し、そのうち、Nが零よりも大きい整数であることと、
前記OLTは、デフォルトされた1種の、アップリンクバーストオーバーヘッドパラメータ集合のパラメータ値又はアップリンクバーストオーバーヘッドパラメータ集合の標識を、前記ONUに送信し、前記ONUは、待ち状態で前記アップリンクバーストオーバーヘッドパラメータ集合のパラメータ値又はアップリンクバーストオーバーヘッドパラメータ集合標識を受信し、且つ当該アップリンクバーストオーバーヘッドパラメータ集合を使用することと、或いは、
前記OLTは、1種以上のアップリンクバーストオーバーヘッドパラメータ集合のパラメータ値又はアップリンクバーストオーバーヘッドパラメータ集合標識を、前記ONUに送信し、前記ONUは、待ち状態で前記の一種以上のアップリンクバーストオーバーヘッドパラメータ集合のパラメータ値又はアップリンクバーストオーバーヘッドパラメータ集合標識を受信し、且つその中の1種のアップリンクバーストオーバーヘッドパラメータ集合を使用することをさらに含む。
【００１１】
ONUはアップリンクバーストオーバーヘッドパラメータ集合のパラメータ値又はアップリンクバーストオーバーヘッドパラメータ集合標識を受信するステップの後、前記方法は、前記ONUがシリアル番号状態に進入することをさらに含み、
OLTは前記OLTと前記ONUとの間のダウンリンクの伝送品質を検出するステップは、ONUのシリアル番号状態で、前記OLTが前記ONUと前記OLTとの間のダウンリンクを検出して、前記ダウンリンクの品質情報を知ることを含み、
前記OLTは前記伝送品質によって前記ONUに適用するアップリンクバーストオーバーヘッドパラメータを確定するステップは、前記OLTが前記ダウンリンクの品質情報によって前記ONUに適用するアップリンクバーストオーバーヘッドパラメータ集合を確定し、ユニキャストメッセージ又はマルチキャストメッセージによって前記ONUに適用するアップリンクバーストオーバーヘッドパラメータ集合におけるパラメータ値或いはONUに適用するアップリンクバーストオーバーヘッドパラメータ集合の標識を、前記ONUに通知することを含む。
【００１２】
ONUはアップリンクバーストオーバーヘッドパラメータ集合のパラメータ値又はアップリンクバーストオーバーヘッドパラメータ集合標識を受信するステップの後、前記方法は、前記ONUがシリアル番号状態に進入することをさらに含み、
ONUは前記OLTと前記ONUとの間のダウンリンクの伝送品質を検出するステップは、ONUのシリアル番号状態で、前記ONUが前記ONUと前記OLTとの間のダウンリンクを検出し、前記ダウンリンクの品質情報を知ることを含み、
前記ダウンリンクの品質情報を知るステップの後、前記方法は、前記ONUが前記ダウンリンクの品質情報を前記OLTに通知することを含み、
前記OLTは前記伝送品質によって前記ONUに適用するアップリンクバーストオーバーヘッドパラメータを確定するステップは、前記OLTが前記ダウンリンクの品質情報によって前記ONUに適用するアップリンクバーストオーバーヘッドパラメータ集合を確定し、ユニキャストメッセージ又はマルチキャストメッセージによって前記ONUに適用するアップリンクバーストオーバーヘッドパラメータ集合におけるパラメータ値或いはONUに適用するアップリンクバーストオーバーヘッドパラメータ集合の標識を、前記ONUに通知することを含む。
【００１３】
ONUはアップリンクバーストオーバーヘッドパラメータ集合のパラメータ値又はアップリンクバーストオーバーヘッドパラメータ集合標識を受信するステップの後、前記方法は、前記ONUがシリアル番号状態に進入することを含み、
ONUは前記OLTと前記ONUとの間のダウンリンクの伝送品質を検出するステップは、ONUのシリアル番号状態で、前記ONUが前記ONUと前記OLTとの間のダウンリンクを検出し、前記ダウンリンクの品質情報を知ることを含み、
前記ONUは前記伝送品質によって前記ONUに適用するアップリンクバーストオーバーヘッドパラメータを確定するステップは、前記ONUが前記ダウンリンクの品質情報によって前記ONUに適用するアップリンクバーストオーバーヘッドパラメータ集合を確定し、ユニキャストメッセージ又はマルチキャストメッセージによって前記ONUに適用するアップリンクバーストオーバーヘッドパラメータ集合におけるパラメータ値或いはONUに適用するアップリンクバーストオーバーヘッドパラメータ集合の標識を、前記OLTに通知することを含む。
【００１４】
前記OLTは、確定したアップリンクバーストオーバーヘッドパラメータ集合におけるパラメータ値或いはアップリンクバーストオーバーヘッドパラメータ集合の標識を、前記ONUに通知するステップの同時又は後に、或いは、前記ONUは、前記アップリンクバーストオーバーヘッドパラメータ集合におけるパラメータ値或いはアップリンクバーストオーバーヘッドパラメータ集合の標識を、前記OLTに通知するステップの同時又は後に、前記方法は、前記OLTがONUの帯域幅割り当てのマーク領域にアップリンクバーストオーバーヘッドパラメータの切替インデックス値を設置し、ダウンリンクフレームによって前記ONUへ送信することをさらに含み、前記ONUは前記OLTが指示した切り替え時間の後に前記アップリンクバーストオーバーヘッドパラメータを使用し始めるステップは、前記ONUが前記切替インデックス値を受信した後、次のフレームにおいて前記ONUに適用するアップリンクバーストオーバーヘッドパラメータを使用することを含み、或いは、
前記OLTは、確定したアップリンクバーストオーバーヘッドパラメータ集合におけるパラメータ値或いはアップリンクバーストオーバーヘッドパラメータ集合の標識を、前記ONUに通知するステップの同時又は後に、或いは、前記ONUは、前記アップリンクバーストオーバーヘッドパラメータ集合におけるパラメータ値或いはアップリンクバーストオーバーヘッドパラメータ集合の標識を、前記OLTに通知するステップの同時又は後に、前記方法は、前記OLTが前記ONUへスーパーフレーム番号を通知することをさらに含み、前記ONUは前記OLTが指示した切り替え時間の後に前記アップリンクバーストオーバーヘッドパラメータを使用し始めるステップは、前記ONUが前記スーパーフレーム番号を受信した後、前記スーパーフレーム番号が指示したフレームは到達した後、前記ONUに適用するアップリンクバーストオーバーヘッドパラメータを使用し始めることを含み、或いは、
前記OLTは、確定したアップリンクバーストオーバーヘッドパラメータ集合におけるパラメータ値或いはアップリンクバーストオーバーヘッドパラメータ集合の標識を、前記ONUに通知するステップの同時又は後に、或いは、前記ONUは、前記アップリンクバーストオーバーヘッドパラメータ集合におけるパラメータ値或いはアップリンクバーストオーバーヘッドパラメータ集合の標識を、前記OLTに通知するステップの同時又は後に、前記方法は、前記ONUが前記OLTへスーパーフレーム番号を通知することをさらに含み、前記ONUが自体により確定した切り替え時間の後に前記アップリンクバーストオーバーヘッドパラメータを使用し始めるステップは、前記ONUは、前記スーパーフレーム番号が指示したフレームが到達した後に、前記ONUに適用するアップリンクバーストオーバーヘッドパラメータを使用し始めることを含む。
【００１５】
前記アップリンクバーストオーバーヘッドパラメータ集合は前方誤り訂正状態、デリミターパラメータ、プリアンブルパラメータ、及び保護帯域幅パラメータを含む。
【００１６】
前記OLTは1種以上の、アップリンクバーストオーバーヘッドパラメータ集合のパラメータ値又はアップリンクバーストオーバーヘッドパラメータ集合標識を、前記ONUに送信するステップにおいて、前記OLTは1種又は多種の、アップリンクバーストオーバーヘッドパラメータ集合のパラメータ値又はアップリンクバーストオーバーヘッドパラメータ集合の標識を、それと互いに通信したすべてのONU又はその中の1つ又はいくつかのONUに送信する。
【００１７】
上記技術問題を解決するために、本発明は、アップリンクバーストオーバーヘッドパラメータを管理する受動光ネットワークシステムをさらに提供し、光回線終端装置OLT又は光ネットワークユニットONUを含み、前記光回線終端装置OLTは、前記OLTと前記ONUとの間のダウンリンクの伝送品質を検出し、当該伝送品質によって前記ONUに適用するアップリンクバーストオーバーヘッドパラメータを確定し、且つ前記ONUに通知することに用いられ、さらに、前記ONUへ切り替え時間を指示することに用いられ、前記光ネットワークユニットONUは、前記OLTと前記ONUとの間のダウンリンクの伝送品質を検出し、前記伝送品質によって適用されたアップリンクバーストオーバーヘッドパラメータを確定し、或いは、前記OLTから、前記OLTが確定したダウンリンク伝送品質を直接に受信することに用いられ、さらに、自体により確定した切り替え時間或いは前記OLTが指示した切り替え時間の後に前記アップリンクバーストオーバーヘッドパラメータを使用し始めることに用いられる。
【００１８】
上記技術問題を解決するために、本発明は、アップリンクバーストオーバーヘッドパラメータを管理する光ネットワークユニット(ONU)をさらに提供し、第1のパラメータ取得モジュール及び切替モジュールを含み、
前記第1のパラメータ取得モジュールは、
前記光回線終端装置(OLT)と前記ONUとの間のダウンリンクの伝送品質を検出し、又は光回線終端装置(OLT)が送信した、前記OLTが検出して得られたダウンリンクの伝送品質を受
信し、前記伝送品質によってONUに適用するアップリンクバーストオーバーヘッドパラメータを確定し、且つ前記ONUに適用するアップリンクバーストオーバーヘッドパラメータを前記OLTに送信し、或いは、
前記OLTと前記ONUとの間のダウンリンクの伝送品質を検出し、前記伝送品質を前記OLTに送信し、且つ前記OLTが送信した、前記伝送品質によって確定した、ONUに適用するアップリンクバーストオーバーヘッドパラメータを受信し、或いは、
前記OLTから、前記OLTが確定した、ONUに適用するアップリンクバーストオーバーヘッドパラメータを直接に受信し、及び、
確定した前記ONUに適用するアップリンクバーストオーバーヘッドパラメータを前記OLTに通知する同時又は後に、或いは、OLTが送信した、前記ONUに適用するアップリンクバーストオーバーヘッドパラメータを受信する同時又は後に、前記切替モジュールを指示する、ように設置され、
前記切替モジュールは、
前記第1のパラメータ取得モジュールの指示を受信する同時又は後に、切替時間の又は前記OLTの指示を受信する切り替え時間を確定し、自体により確定した切り替え時間或いは前記OLTが指示した切り替え時間の後に前記ONUに適用するアップリンクバーストオーバーヘッドパラメータを使用し始める、ように設置される。
【００１９】
前記ONUはバーストオーバーヘッドパラメータ集合受信モジュールをさらに含み、
前記バーストオーバーヘッドパラメータ集合受信モジュールは、待ち状態で、前記OLTは、異なる等級のリンク品質に対して、N種のアップリンクバーストオーバーヘッドパラメータ集合を確定して標識した後、前記ONUへ送信した、デフォルトした1種の、アップリンクバーストオーバーヘッドパラメータ集合のパラメータ値又はアップリンクバーストオーバーヘッドパラメータ集合の標識を受信し、且つ当該アップリンクバーストオーバーヘッドパラメータ集合を使用し、或いは、
待ち状態で、前記OLTは、異なる等級のリンク品質に対して、N種のアップリンクバーストオーバーヘッドパラメータ集合を確定して標識した後、前記ONUへ送信した1種以上の、アップリンクバーストオーバーヘッドパラメータ集合のパラメータ値又はアップリンクバーストオーバーヘッドパラメータ集合標識を受信し、且つその中の1種のアップリンクバーストオーバーヘッドパラメータ集合を使用し、
そのうち、Nが零よりも大きい整数であるように設置される。
【００２０】
前記切替モジュールは、さらに、前記第1のパラメータ取得モジュールの指示を受信する同時又は後に、前記OLTはダウンリンクフレームによって前記ONUへ送信した、前記OLTがONUの帯域幅割り当てのマーク領域に、設置したアップリンクバーストオーバーヘッドパラメータの切替インデックス値を受信するように設置され、及び、前記切替モジュールは、前記切替インデックス値を受信した後、次のフレームに前記アップリンクバーストオーバーヘッドパラメータを使用するように、前記OLTが指示した切り替え時間の後に前記アップリンクバーストオーバーヘッドパラメータを使用し始めるように設置され、或いは、
前記切替モジュールは、さらに、前記第1のパラメータ取得モジュールの指示を受信する同時又は後に、前記OLTが前記ONUへ通知したスーパーフレーム番号を受信するように設置され、及び、前記切替モジュールは、前記スーパーフレーム番号が指示したフレームは到達した後に、前記アップリンクバーストオーバーヘッドパラメータを使用し始めるように、前記OLTが指示した切り替え時間の後に前記アップリンクバーストオーバーヘッドパラメータを使用し始めるように設置され、或いは、
前記切替モジュールは、さらに、前記第1のパラメータ取得モジュールの指示を受信する同時又は後に、前記OLTへスーパーフレーム番号を通知するように設置され、及び、前記ONUは、前記スーパーフレーム番号が指示したフレームは到達した後に、前記アップリンクバーストオーバーヘッドパラメータを使用し始めるように、自体により確定した切り替え時間の後に前記アップリンクバーストオーバーヘッドパラメータを使用し始めるように設置される。
【００２１】
上記技術問題を解決するために、本発明は、アップリンクバーストオーバーヘッドパラメータを管理する光回線終端装置(OLT)をさらに提供し、第2のパラメータ取得モジュール及び切り替え時間送受信モジュールを含み、
前記第2のパラメータ取得モジュールは、
前記OLTと光ネットワークユニット(ONU)との間のダウンリンクの伝送品質を検出し、前記伝送品質を前記ONUへ送信し、且つ前記ONUは前記OLTが送信した伝送品質によって確定された、ONUに適用するアップリンクバーストオーバーヘッドパラメータを受信し、或いは、
前記OLTと光ネットワークユニット(ONU)との間のダウンリンクの伝送品質を検出して、前記伝送品質によって前記ONUに適用するアップリンクバーストオーバーヘッドパラメータを確定し、且つ確定した、前記ONUに適用するアップリンクバーストオーバーヘッドパラメータを前記ONUに通知し、或いは、
前記ONUが送信した、前記ONUが検出して得られたダウンリンクの伝送品質を受信し、前記伝送品質によってONUに適用するアップリンクバーストオーバーヘッドパラメータを確定し、且つ確定した、前記ONUに適用するアップリンクバーストオーバーヘッドパラメータを前記ONUに通知し、或いは、
前記ONUが送信した、前記ONUの自体により検出して得られたダウンリンクの伝送品質によって確定された、ONUに適用するアップリンクバーストオーバーヘッドパラメータを受信し、及び、
確定した、前記ONUに適用するアップリンクバーストオーバーヘッドパラメータを前記ONUに通知する同時又は後に、或いは、ONUが送信した、前記ONUに適用するアップリンクバーストオーバーヘッドパラメータを受信する同時又は後に、前記切り替え時間送受信モジュールを指示する、ように設置され、
前記切り替え時間送受信モジュールは、
前記第2のパラメータ取得モジュールの指示を受信する同時又は後に、前記ONUへ切り替え時間を指示する或いは前記ONUが送信した切り替え時間を受信して、前記ONUに、前記切り替え時間の後に前記アップリンクバーストオーバーヘッドパラメータを使用し始めさせる、ように設置される。
【００２２】
アップリンクバーストオーバーヘッドパラメータ集合の取得モジュールは、異なる等級のリンク品質に対してN種のアップリンクバーストオーバーヘッドパラメータ集合を確定して標識し、そのうち、Nが零よりも大きい整数であり、及び、デフォルトした1種の、アップリンクバーストオーバーヘッドパラメータ集合のパラメータ値又は標識を、前記ONUに送信し、或いは、アップリンクバーストオーバーヘッドパラメータ集合のパラメータ値又はアップリンクバーストオーバーヘッドパラメータ集合の標識を前記ONUに1種以上送信し、
前記ONUに、待ち状態で、アップリンクバーストオーバーヘッドパラメータ集合のパラメータ値又はアップリンクバーストオーバーヘッドパラメータの標識を1種受信させ、且つ当該アップリンクバーストオーバーヘッドパラメータ集合を使用させ、或いは、待ち状態で、前記1種以上の、アップリンクバーストオーバーヘッドパラメータ集合のパラメータ値又はアップリンクバーストオーバーヘッドパラメータ集合のアップリンクバーストオーバーヘッドパラメータの標識を受信させた後、その中の1種のアップリンクバーストオーバーヘッドパラメータ集合を使用させるように設置される。
【００２３】
前記切り替え時間送受信モジュールは、ONUの帯域幅割り当てのマーク領域に、アップリンクバーストオーバーヘッドパラメータの切替インデックス値を設置し、ダウンリンクフレームによって前記ONUへ送信し、前記ONUに、前記切替インデックス値を受信した後、次のフレームに前記アップリンクバーストオーバーヘッドパラメータを使用させるように、前記ONUへ切り替え時間を指示する、ように設置され、或いは、
前記切り替え時間送受信モジュールは、前記ONUへスーパーフレーム番号を通知して、前記ONUに、前記OLTの前記スーパーフレーム番号が指示したフレームは到達した後に、前記アップリンクバーストオーバーヘッドパラメータを使用し始めさせるように、前記ONUへ切り替え時間を指示する、ように設置され、或いは、
前記切り替え時間送受信モジュールは、前記ONTが通知したスーパーフレーム番号を受信して、前記ONUに、前記スーパーフレーム番号が指示したフレームは到達した後に、前記アップリンクバーストオーバーヘッドパラメータを使用し始めさせるように、前記ONUが送信した切り替え時間を受信する、ように設置される。
【発明の効果】
【００２４】
本発明は、帯域幅の利用率を向上させる、光アクセスノードの間のアップリンクバーストオーバーヘッドパラメータの管理方法を提供することが出来る。
【図面の簡単な説明】
【００２５】
【図１】従来の技術において、GPON システムにおけるOLTがアップリンクバーストオーバーヘッドパラメータを周期的に放送する模示図である。
【図２】実施例における光アクセスノードの間のアップリンクバーストオーバーヘッドパラメータの管理方法の模示図である。
【図３】実施例1におけるアップリンクバーストオーバーヘッドパラメータの管理方法の模示図である。
【図４】実施例2におけるアップリンクバーストオーバーヘッドパラメータの管理方法の模示図である。
【図５】実施例3におけるアップリンクバーストオーバーヘッドパラメータの管理方法の模示図である。
【図６】実施例4におけるアップリンクバーストオーバーヘッドパラメータの管理方法の模示図である。
【図７】実施例5におけるアップリンクバーストオーバーヘッドパラメータの管理方法の模示図である。
【図８】実施例6におけるアップリンクバーストオーバーヘッドパラメータの管理方法の模示図である。
【図９】実施例7におけるアップリンクバーストオーバーヘッドパラメータの管理方法の模示図である。
【発明を実施するための形態】
【００２６】
図2に示すように、光アクセスノードの間のアップリンクバーストオーバーヘッドパラメータの管理方法は、
ONUがシリアル番号状態(即ち、O3状態)にある場合に、OLT又はONUが前記OLTと前記ONUとの間のダウンリンクの伝送品質を検出するステップ201と、
OLT又はONUが前記伝送品質によって前記ONUに適用するアップリンクバーストオーバーヘッドパラメータを確定するステップ202と、
前記ONUが自体により確定した、又は前記OLTが指示した切り替え時間後に前記アップリンクバーストオーバーヘッドパラメータを使用し始めるステップ203を含む。
【００２７】
以下、本発明の方法を詳しく記述する。
【００２８】
本発明の方法では、ONUが初期状態(即ち、O1状態)にある場合には、OLTが異なる等級のリンク品質に対してN種のアップリンクバーストオーバーヘッドパラメータ集合を確定して標識し、Nが零よりも大きい整数である。各アップリンクバーストオーバーヘッドパラメータ集合は、いずれも前方誤り訂正状態、デリミターパラメータ、プリアンブルパラメータ、及び保護帯域幅パラメータを含む。
【００２９】
OLTはデフォルトした1種のアップリンクバーストオーバーヘッドパラメータ集合のパラメータ値又は標識をONUに送信し、ONUが待ち状態(即ち、O2状態)でアップリンクバーストオーバーヘッドパラメータ集合のパラメータ値又は標識を受信し、且つ当該アップリンクバーストオーバーヘッドパラメータ集合を使用し、或いは、OLTは1種以上のアップリンクバーストオーバーヘッドパラメータ集合のパラメータ値又は標識をONUに送信し、ONUがO2状態で前記1種以上のアップリンクバーストオーバーヘッドパラメータ集合のパラメータ値又は標識を受信した後、その中の1種のアップリンクバーストオーバーヘッドパラメータ集合を使用する。アップリンクバーストオーバーヘッドパラメータ集合の数が複数個である場合には、その中の1つをデフォルトした集合に設定することができ、ONUが1つ以上の、バーストオーバーヘッドパラメータ集合のパラメータを受信した後、デフォルトした集合を選用し、或いは複数個の中から1つを任意に選択して使用することができる。
【００３０】
OLTはアップリンクバーストオーバーヘッドパラメータ集合を特定のONUにユニキャストしてもよく、すべてのONUに放送してもよい。
【００３１】
ステップ201及びステップ202では、OLTが前記ONUと前記OLTとの間のダウンリンクを検出する場合に、OLTはダウンリンクを検出することによって、当該ダウンリンクの品質情報を知り、且つ当該ダウンリンクの品質情報によって前記ONUが使用したアップリンクバーストオーバーヘッドパラメータ集合を確定し、ユニキャストメッセージ又はマルチキャストメッセージによって前記アップリンクバーストオーバーヘッドパラメータ集合におけるパラメータ値或いはアップリンクバーストオーバーヘッドパラメータ集合の標識を前記ONUに通知し、
或いは、ステップ201及びステップ202では、ONUが前記ONUと前記OLTとの間のダウンリンクを検出する場合に、ONUはダウンリンクを検出することによって、当該ダウンリンクの品質情報を知り、且つ前記ダウンリンクの品質情報を前記OLTに通知し、前記OLTは前記ダウンリンクの品質情報によって前記ONUが使用したアップリンクバーストオーバーヘッドパラメータ集合を確定し、ユニキャストメッセージ又はマルチキャストメッセージによって前記アップリンクバーストオーバーヘッドパラメータ集合におけるパラメータ値或いはアップリンクバーストオーバーヘッドパラメータ集合の標識を前記ONUに通知し、
或いは、ステップ201及びステップ202では、ONUが前記ONUと前記OLTとの間のダウンリンクを検出する場合に、ONUを介してそれは使用したアップリンクバーストオーバーヘッドパラメータ集合を確定してもよい。ONUはダウンリンクを検出することによって、当該ダウンリンクの品質情報を知り、且つ前記ダウンリンクの品質情報によって前記ONUが使用したアップリンクバーストオーバーヘッドパラメータ集合を確定し、ユニキャストメッセージ又はマルチキャストメッセージによって前記アップリンクバーストオーバーヘッドパラメータ集合におけるパラメータ値或いはアップリンクバーストオーバーヘッドパラメータ集合の標識を前記OLTに通知する。
【００３２】
ステップ203では、OLTを介して切替インデックス値によってONUに切替を行うことを通知してもよい。具体的に、OLTは確定したアップリンクバーストオーバーヘッドパラメータ集合を前記ONUに通知する同時又は後に、ONUの帯域幅割り当てのマーク領域にアップリンクバーストオーバーヘッドパラメータの切替インデックス値を設置し、ダウンリンクフレームによって前記ONUへ送信し、前記ONUは前記切替インデックス値を受信した後、次のフレームに前記アップリンクバーストオーバーヘッドパラメータを使用し、
或いは、ステップ203では、OLTを介してスーパーフレーム番号を指示する方式によってONUに切替を行うことを通知してもよい。具体的に、OLTは確定したアップリンクバーストオーバーヘッドパラメータ集合を前記ONUに通知する同時又は後に、前記ONUへスーパーフレーム番号を通知し、前記ONUが受信した後、前記スーパーフレーム番号が指示したスーパーフレームは到達した後、前記アップリンクバーストオーバーヘッドパラメータを使用し始め、
ステップ203では、ONUを介してスーパーフレーム番号を確定してOLTに通知してもよい。ONUは確定したアップリンクバーストオーバーヘッドパラメータ集合を前記OLTに通知する同時又は後に、前記OLTへスーパーフレーム番号を通知し、前記ONUは、前記スーパーフレーム番号が指示したスーパーフレームが、到達した後、前記アップリンクバーストオーバーヘッドパラメータを使用し始める。
【００３３】
以下、具体的な実施例によって本発明の方法を説明する。下記各実施例では、OLTは線路品質に対して3種類のアップリンクバーストオーバーヘッドパラメータ集合を確定すると、その中の集合1が汎用のアップリンクオーバーヘッドバーストパラメータであり、デフォルトで使用したパラメータに属し、一般的なリンク品質の使用に要求されたパラメータにも対応し、インデックス値を0b00に設置し、集合2は強化されたアップリンクバーストオーバーヘッドパラメータであり、線路品質が一般的なリンク品質よりも劣悪である時に使用されたパラメータに対応して、インデックス値を0b01に設置し、集合3は弱化されたアップリンクバーストオーバーヘッドパラメータであり、線路品質が一般的なリンク品質よりも良好である時に使用されたパラメータに対応して、インデックス値を0b10に設置する。ここで、例として、3種類の集合のみを挙げ、線路品質の実際情况に応じて多種の対応するパラメータ等級を定義してもよく、及び1対1に対応する多種のアップリンクバーストオーバーヘッドパラメータ集合を設定し、後続の実施例では、パラメータ集合を設置することもこのように考慮して設置してもよい。
【００３４】
具体的な実施例1
具体的な実施例1では、OLTはONUへデフォルトしたアップリンクバーストオーバーヘッドパラメータ集合を放送し、ONUがO3状態に進入した後、ONUとOLTとの間のダウンリンク品質を検出し、且つ検出したリンク品質信号をOLTに通知し、OLTは当該品質信号によって前記ONU用に適切するアップリンクバーストオーバーヘッドパラメータ集合を確定し、且つユニキャストメッセージによって前記ONUに通知し、さらにONUの帯域幅割り当てのマーク領域に切替を指示し、ONUが受信した後、後続のアップリンクフレームに受信した当該アップリンクバーストオーバーヘッドパラメータ集合のパラメータを使用する。
【００３５】
図3に示すように、具体的な実施例1において、具体的に以下のステップを含め、
ステップ1001、OLTは各アップリンクバーストオーバーヘッドパラメータ集合を確定し、
ステップ1002、OLTはダウンリンク方向にアップリンクオーバーヘッド(Upstream_overhead)メッセージを放送送信し、汎用のアップリンクバーストオーバーヘッド集合のパラメータ(即ち、集合1)が載せられる。
【００３６】
そのうち、Upstream_overheadメッセージに当該集合のパラメータが載せられてもよく、当該集合1の標識が載せられてもよい。
【００３７】
当該メッセージが1回又は複数回で送信されることができ、本発明において制限されない。
【００３８】
ステップ1003、ONUがパワーアップで始動され、O2状態で、OLTからのUpstream_overheadメッセージを受信して載せられたアップリンクバーストオーバーヘッドパラメータの取得が成功した後、O3状態に転移する。
【００３９】
ステップ1004、O3状態から始め、ONUはダウンリンクに対する伝送品質の分析を始動し、従来の汎用のビットインターリーブドパリティ(Bit Interleaved Parity、BIP)検出方法を採用して結果を取得してもよく、常用の前方誤り訂正(FEC)結果及び修正ビット数を採用して結果を取得してもよい。本発明では、ONUが他の類似の検出手段を採用して、ダウンリンクの伝送品質の情報を取得することを除外しない。仮にONUが測量したリンク品質の結果は良好であるとする。
【００４０】
ステップ1005、ONUは後続のアップリンクフレームに、ONUがダウンリンク品質を検出する(或いは、評価)結果(この時、アップリンクフレームが1003ステップで受信した汎用のアップリンクバーストオーバーヘッドパラメータを使用する)が載せられてOLTへ報告する。
【００４１】
例えば、ONUはO3状態でOLTからのシリアル番号の請求帯域幅割り当て(SN_Request)を応答する場合には、アップリンクメッセージSerial_Number_ONUにおいて1004ステップで得られたリンク品質情報-「良好」が載せられる。下表１に示すように、
【００４２】
【表１】
0005563666.tif 000002
【００４３】
Serial_number_ONUメッセージを使用して該情報が載せられることは例のみを挙げることであり、他のアップリンクフレームメッセージにおけるアイドルビットを使用し、上記表「AA」へ類似の定義を与えて、OLTリンクが検出した結果を通知してもよく、或いは、特に定義されたメッセージを使用して該検出結果を伝送してもよい。
【００４４】
ステップ1006、OLTは該アップリンクフレームを受信した後に、該ONUと対応する線路品質の情報を記録し、且つ該ONU用に適切するアップリンクバーストオーバーヘッドパラメータ集合を確定し、本実施例が集合3である。
【００４５】
ステップ1007、ONUがONU-IDに割り当てされた後に、OLTはUpstream_overheadメッセージをユニキャストすることによって該ONUが使用しようとするパラメータ集合及び対応するインデックスを該ONUへ伝送する。下表２に示すように、
【００４６】
【表２】
0005563666.tif 000003
【００４７】
ステップ1008、ONUはOLTからのユニキャストUpstream_overheadメッセージを受信した後、それに載せられた物理層パラメータ及び集合3のインデックス値0b10を記録する。
【００４８】
ステップ1009、OLTは該ONUへの帯域幅割り当てのマーク領域に、アップリンクバーストオーバーヘッドパラメータの切替インデックス値を設置し、且つダウンリンクフレームによって該ONUへ送信する。
【００４９】
ステップ1010、ONUは1009ステップにおける切替指示を一旦受信し、次のフレームに指示されたインデックス値に応じてアップリンクバーストオーバーヘッドパラメータの切替をすぐに行い、後続のアップリンク伝送の時に使用する。
【００５０】
具体的な実施例2
具体的な実施例2では、OLTはONUへデフォルトしたアップリンクバーストオーバーヘッドパラメータ集合を放送し、ONUがO3状態に進入した後、OLTはONUとOLTとの間のダウンリンク品質を検出し、且つ当該品質信号によって前記ONU用に適切するアップリンクバーストオーバーヘッドパラメータ集合を確定し、且つユニキャストメッセージによって前記ONUに通知し、さらにONUの帯域幅割り当てのマーク領域に切替を指示し、ONUが受信した後、後続のアップリンクフレームに受信した当該アップリンクバーストオーバーヘッドパラメータ集合のパラメータを使用する。
【００５１】
図4に示すように、具体的な実施例2において、具体的に、以下のステップを含め、
ステップ2001、OLTは各アップリンクバーストオーバーヘッドパラメータ集合を確定し、
ステップ2002、OLTはダウンリンク方向にUpstream_overheadメッセージを放送送信し、汎用のアップリンクバーストオーバーヘッドパラメータ(即ち、集合1)が載せられる。
【００５２】
当該集合のパラメータが載せられてもよく、当該集合1の標識が載せられてもよい。当該メッセージが1回又は複数回で送信されることができ、本発明において制限されない。
【００５３】
ステップ2003、ONUがパワーアップで始動され、O2状態で、OLTからのUpstream_overheadメッセージを受信して載せられたアップリンクバーストオーバーヘッドパラメータの取得が成功した後、O3状態に転移する。且つOLTとともに、標準(従来の技術)的に制定した規範に応じて、正常なデータ通信を行う。
【００５４】
ステップ2004、OLTはある1つのONUの対応のリンクに対する検出を始動し、そのリンク品質の情報を取得し、テスト結果が「悪い」であり、アップリンクバーストオーバーヘッドパラメータ集合2に対応する。
【００５５】
本ステップでは、検出の始動条件は複数の種類であってもよく：アップリンクフレームのエラーコードが増加することであってもよく、アップリンクフレームが紛失することであってもよく、運営商が検出を能動的に要求すること等であってもよい。OLTの検出方法は従来の汎用のBIPを採用してもよく、常用のFECを採用してもよく、他の類似な検出手段を除外しなく、関連の情報を取得することができればよい。
【００５６】
ステップ2005、OLTはUpstream_overheadメッセージをユニキャストすることによって該ONUが使用しようとするアップリンクオーバーヘッドパラメータ集合2を該ONUへ伝送する。表３に示すように、
【００５７】
【表３】
0005563666.tif 000004
【００５８】
ステップ2006、ONUはOLTからのユニキャストUpstream_overheadメッセージを受信した後、それに載せられた物理層パラメータを記録し、後続の切替の時に使用する。
【００５９】
後続の切替の指示及び操作は実施例1におけるものと同じであってもよい。
【００６０】
具体的な実施例3
具体的な実施例3と具体的な実施例2との異なる点はOLTが事前にONUへすべてのパラメータ集合を放送することである。
【００６１】
図5に示すように、具体的な実施例3において、具体的に以下のステップを含め、
ステップ3001とステップ2001とが同じであり、
ステップ3002、OLTはダウンリンク方向にUpstream_overheadメッセージを放送送信し、すべてのアップリンクバーストオーバーヘッドパラメータ(即ち、集合1、2、3がいずれも1つのメッセージ中に送信する)が載せられる。表４に示すように、ここのメッセージが1回又は複数回で送信されることができ、本発明において制限されない。
【００６２】
【表４】
0005563666.tif 000005
【００６３】
ステップ3003、ONUがパワーアップ始動され、O2状態で、OLTからのUpstream_overheadメッセージを受信して載せられたアップリンクバーストオーバーヘッドパラメータの取得が成功した後、O3状態に転移する。明確に指示しない場合に、その中のパラメータ集合1をデフォルトに使用する。ONUは標準(従来の技術)的に制定した規範に応じて、正常なデータ通信を行う。
【００６４】
ステップ3004とステップ2004とが同じである。
【００６５】
ステップ3005、OLTはユニキャストメッセージUpstream_overheadによって該ONUが使用しようとするアップリンクオーバーヘッドパラメータ集合2を該ONUへ伝送する。表５に示すようなメッセージ書式であり、その中のBBが「01」とするべきである。
【００６６】
【表５】
0005563666.tif 000006
【００６７】
ステップ3006、ONUはOLTからのユニキャストONUオーバーヘッド指示(Overhead_ONU_Indication)のメッセージを受信した後、それに載せられた物理層パラメータBB(01)を記録し、後続は指示に応じてパラメータの切替を行う。後続の切替の指示と操作とが実施例1と同じであってもよい。
【００６８】
具体的な実施例4
具体的な実施例4と具体的な実施例1との異なる点はOLTが事前にONUへすべてのパラメ
ータ集合を放送することである。
【００６９】
図6に示すように、具体的な実施例4において、具体的に以下のステップを含む。
【００７０】
ステップ4001とステップ1001とが同じである。
【００７１】
ステップ4002、OLTはダウンリンク方向にUpstream_overheadメッセージを放送送信し、すべてのアップリンクバーストオーバーヘッドパラメータ集合(即ち、集合1、2、3がいずれも1つのメッセージ中に送信する)が載せられる。表６に示すように、ここのメッセージが1回又は複数回で送信されることができ、本発明において制限されない。
【００７２】
【表６】
0005563666.tif 000007
【００７３】
ステップ4003とステップ1003とが同じである。
【００７４】
ステップ4004とステップ1004とが同じである。
【００７５】
ステップ4005とステップ1005とが同じであり、ONUはO3状態でOLTからのシリアル番号の請求帯域幅割り当て(SN_Request)を応答する場合には、アップリンクONUシリアル番号(Serial_Number_ONU)メッセージにおいて第1004ステップで得られたリンク品質情報−「良好」が載せられる。表７に示すように、
【００７６】
【表７】
0005563666.tif 000008
【００７７】
(Serial_number_ONUメッセージを使用して該情報が載せられることは例のみを挙げることであり、他のアップリンクフレームメッセージにおけるアイドルビットを使用し、上記表「AA」へ類似の定義を与えて、OLTリンクが検出した結果を通知してもよく、或いは、特に定義されたメッセージを使用して該検出結果を伝送してもよい)。
【００７８】
ステップ4006とステップ1006とが同じである。
【００７９】
ステップ4007、ONUがONU-IDに割り当てされた後に、OLTは、Upstream_overheadメッセージをユニキャストすることによって該ONUが使用しようとするパラメータは集合3であることを指示する(ユニキャストメッセージにおいて、xxを「10」に設置する)。表８に示すように、
【００８０】
【表８】
0005563666.tif 000009
【００８１】
ステップ4008、ONUはOLTからのUpstream_overheadユニキャストメッセージを受信した後、それに載せられた物理層パラメータの指示を記録し、後続の切替の時に使用する。後続の切替の指示と操作とが実施例1と同じであってもよい。
【００８２】
具体的な実施例5
具体的な実施例5と具体的な実施例3との異なる点は、OLTはダウンリンク品質を検出した後、放送チャンネルメッセージOverhead_ONU_indicationによってONUに切替必要なアップリンクバーストオーバーヘッドパラメータ及び切替必要なスーパーフレーム番号を記録することを通知し、スーパーフレーム番号と対応するフレームが到着した後、すべてのONUはOLTが指示したアップリンクバーストオーバーヘッドパラメータを切替使用してアップリンク伝送を行うことである。
【００８３】
図7に示すように、具体的な実施例5において、具体的に以下のステップを含め、
ステップ5001〜ステップ5004とステップ3001〜ステップ3004とが同じであり、
ステップ5005、OLTはOverhead_ONU_Indicationメッセージを放送することによってすべてのONUに切替使用しようとするアップリンクオーバーヘッドパラメータ集合2、及びパラメータ切替を実行するスーパーフレーム番号を伝送し、以下のメッセージ書式に応じて、その中のBBが「01」とされるべきである。スーパーフレーム番号領域(4-7)に、OLTの切替を要求するスーパーフレーム番号の値が書き入れられる。表９に示すように、
【００８４】
【表９】
0005563666.tif 000010
【００８５】
ステップ5006、すべてのONUはOLTが放送したOverhead_ONU_Indicationメッセージを受信した後、それに載せられた物理層パラメータBB(01)、及び切替時刻を指示するスーパーフレーム番号を記録し、後続は指示に応じてパラメータの切替を行う。
【００８６】
ステップ5007、後続のスーパーフレーム番号が対応されたダウンリンクフレームは到着した後、ONUはアップリンクバーストオーバーヘッドパラメータの切替操作を行い、切替後の値をアップリンク伝送に用いる。
【００８７】
本実施例は、5005-5006ステップにおけるメッセージをユニキャストメッセージに設計するように簡単な改正を行い、このように、単一のONUが切替を行うことを支持することができ、すべてのONUがともに切替を行うことではない。
【００８８】
具体的な実施例6
具体的な実施例6と具体的な実施例5との異なる点は、OLTはダウンリンク品質を検出した後、チャンネルメッセージOverhead_ONU_indicationを放送することによってONUに切替必要なアップリンクバーストオーバーヘッドパラメータ及び切替必要なスーパーフレーム番号を記録することを通知した後、OLTはすべてのONUへの帯域幅割り当てのマーク領域に、アップリンクバーストオーバーヘッドパラメータの切替インデックス値を設置し、ONUが当該切替指示を受信した後、次の次のフレームに、指示されたインデックス値に応じてアップリンクバーストオーバーヘッドパラメータの切替を行う。
【００８９】
図8に示すように、具体的な実施例6において、具体的に以下のステップを含め、
ステップ6001〜ステップ6006とステップ5001〜ステップ5006とが同じであり、
ステップ6007、OLTはすべてのONUへの帯域幅割り当てのマーク領域に、アップリンクバーストオーバーヘッドパラメータの切替インデックス値を設置し、且つダウンリンクフレームによってすべてのONUへ送信する。
【００９０】
すべてのONUは6007ステップにおける切替指示を一旦受信し、次のフレームに指示されたインデックス値に応じてアップリンクバーストオーバーヘッドパラメータの切替をすぐに行い、後続のアップリンク伝送の時に使用する。
【００９１】
本実施例は、6005/6006/6007ステップにおけるメッセージをユニキャストメッセージに設計し且つあるONUに対して設置するように簡単な改正を行い、このように、単一のONUが切替を行うことを支持することができ、すべてのONUがともに切替を行うことではない。
【００９２】
具体的な実施例7
具体的な実施例7では、ONUが線路品質をテストし、且つリンクの品質によってそれは使用したアップリンクバーストオーバーヘッドパラメータを確定し、ONUはOLTへ当該アップリンクバーストオーバーヘッドパラメータを通知してスーパーフレーム番号を切替することを指示する。
【００９３】
図9に示すように、具体的な実施例7において、具体的に以下のステップを含め、
ステップ7001〜ステップ7002とステップ6001〜ステップ6002とが同じであり、
ステップ7003、ONUがパワーアップ始動され、O2状態でOLTからのUpstream_overheadメッセージを受信して載せられたアップリンク物理層バーストオーバーヘッドパラメータを成功で取得した後、O3状態に転移する。
【００９４】
ステップ7004、O3状態から始め、ONUはダウンリンクに対する伝送品質の分析を始動し、従来の汎用のBIP検出方法を採用して結果を取得してもよく、常用のFEC結果と修正ビット数を採用して結果を取得してもよい。(ONUが他の類似な検出手段を採用して、ダウンリンクの伝送品質の情報を取得することを除外しなく、方法は、実行することができればよい)、仮に測量した結果が良好であるとする。
【００９５】
ステップ7005、ONUはステップ7004で伝送品質の情報を得られた後、後続のアップリン
クフレームはONUがダウンリンク品質を検出する結果「良好」が載せられ、且つリンク品
質によってアップリンクバーストオーバーヘッドパラメータ集合即ち集合3を確定し、ONUは、それは確定したアップリンクバーストオーバーヘッドパラメータ集合3、及びそれは
準備した、パラメータ集合3を切替して使用するスーパーフレーム番号をOLTへ報告する。例えば、ONUはO3状態でOLTからのシリアル番号の請求帯域幅割り当て(SN_Request)を応答する場合には、アップリンクメッセージSerial_Number_ONUにおいて第7004ステップで得られたリンク品質情報−「良好」が載せられる。下表１０に示すように、
【００９６】
【表１０】
0005563666.tif 000011
【００９７】
Serial_number_ONUメッセージを使用して該情報が載せられることは例のみを挙げることであり、他のアップリンクフレームメッセージにおけるアイドルビットを使用し、上記表における関連領域へ類似の定義を与えて、OLTリンクが検出した結果を通知してもよく、或いは、特に定義されたメッセージを使用して該検出結果を伝送してもよい。
【００９８】
ステップ7006、OLTは該メッセージを受信した後、該ONUと対応する線路品質の情報及び切替と関連するダウンリンクフレームのスーパーフレーム番号を記録し、且つ該ONUに適用するアップリンクバーストオーバーヘッドパラメータ集合3を確定する。
【００９９】
ステップ7007、ある時刻に、OLTは該スーパーフレーム番号が対応するダウンリンクフレームを送信した後、ONUはこの時にパラメータ集合3を切替使用してアップリンクフレームを送信し、OLTはパラメータ集合3を使用して該ONUのアップリンクフレームを受信する。
【０１００】
上記方法は帯域幅の利用率を向上させることができ、PONシステムにおける、アップリンクバーストオーバーヘッドパラメータを指示する複雑度をさらに低下させることができ、ONU及びOLTに、アップリンクバーストオーバーヘッドパラメータを柔軟且つ簡単に選択させる。
【０１０１】
本発明では、アップリンクバーストオーバーヘッドパラメータを管理する受動光ネットワークシステムは、光回線終端装置OLT又は光ネットワークユニットONUを含み、当該2つの実体の機能が上記方法に記載した機能と同じである。以下のように述べる：
前記光回線終端装置OLTは、前記OLTと前記ONUとの間のダウンリンクの伝送品質を検出し、当該伝送品質によって前記ONUに適用するアップリンクバーストオーバーヘッドパラメータを確定し、且つ前記ONUに通知し、及び前記ONUへ切り替え時間を指示するように設置され、
前記光ネットワークユニットONUは、前記OLTと前記ONUとの間のダウンリンクの伝送品質を検出し、前記伝送品質によって適用されたアップリンクバーストオーバーヘッドパラメータを確定し、或いは、前記OLTから、前記OLTが確定したダウンリンク伝送品質を直接に受信し、及び自体により確定した切り替え時間或いは前記OLTが指示した切り替え時間の後に前記アップリンクバーストオーバーヘッドパラメータを使用し始めるように設置される。
【０１０２】
前記OLTは、異なる等級のリンク品質に対して、N種のアップリンクバーストオーバーヘッドパラメータ集合を確定して標識し、Nが零よりも大きい整数であり、さらに、デフォルトした1種のアップリンクバーストオーバーヘッドパラメータ集合のパラメータ値又は標識を、前記ONUに送信し、或いは、1種以上のアップリンクバーストオーバーヘッドパラメータ集合のパラメータ値又は標識を前記ONUに送信することに用いられるように設置され、前記ONUは、さらに、待ち状態で1種のアップリンクバーストオーバーヘッドパラメータ集合のパラメータ値又は標識を受信し、且つ当該アップリンクバーストオーバーヘッドパラメータ集合を使用し、或いは、待ち状態で前記1種以上のアップリンクバーストオーバーヘッドパラメータ集合のパラメータ値又は標識を受信した後、その中の1種のアップリンクバーストオーバーヘッドパラメータ集合を使用するように設置される。
【０１０３】
前記OLTは、確定したアップリンクバーストオーバーヘッドパラメータ集合を前記ONUに通知する同時又は後に、ONUの帯域幅割り当てのマーク領域に、アップリンクバーストオーバーヘッドパラメータの切替インデックス値を設置し、ダウンリンクフレームによって前記ONUへ送信し、前記ONUは、さらに、前記切替インデックス値を受信した後、次のフレームに前記アップリンクバーストオーバーヘッドパラメータを使用することに用いられる、ようにさらに設置される。
【０１０４】
前記OLTは、さらに、確定したアップリンクバーストオーバーヘッドパラメータ集合を前記ONUに通知する同時又は後に、前記ONUへスーパーフレーム番号を通知するように設置され、前記ONUは、前記スーパーフレーム番号が指示したフレームが到達した後、前記アップリンクバーストオーバーヘッドパラメータを使用し始めるように設置される。
【０１０５】
前記ONUは、さらに、確定したアップリンクバーストオーバーヘッドパラメータ集合を前記OLTに通知する同時又は後に、前記OLTへスーパーフレーム番号を通知し、且つ前記スーパーフレーム番号が指示したフレームが到達した後、前記アップリンクバーストオーバーヘッドパラメータを使用し始めるように設置される。
【０１０６】
上記システムに基づいて、本発明は、第1のパラメータ取得モジュール及び切替モジュールを含む、アップリンクバーストオーバーヘッドパラメータを管理する光ネットワークユニット(ONU)をさらに提供し、
前記第1のパラメータ取得モジュールは、
光回線終端装置(OLT)と前記ONUとの間のダウンリンクの伝送品質を検出し、又はOLTが送信した、前記OLTが検出して得られたダウンリンクの伝送品質を受信し、前記伝送品質によって前記ONUに適用するアップリンクバーストオーバーヘッドパラメータを確定し、且つ前記ONUに適用するアップリンクバーストオーバーヘッドパラメータを前記OLTに送信し、或いは、
前記OLTと前記ONUとの間のダウンリンクの伝送品質を検出し、前記伝送品質を前記OLTに送信し、且つ前記OLTが送信した、前記伝送品質によって確定した、ONUに適用するアップリンクバーストオーバーヘッドパラメータを受信し、或いは、
前記OLTから、前記OLTが確定した、ONUに適用するアップリンクバーストオーバーヘッドパラメータを直接に受信し、及び、
確定した前記ONUに適用するアップリンクバーストオーバーヘッドパラメータを前記OLTに通知する同時又は後に、或いは、OLTが送信した、前記ONUに適用するアップリンクバーストオーバーヘッドパラメータを受信する同時又は後に、前記切替モジュールを指示する、ように設置され、
前記切替モジュールは、
前記第1のパラメータ取得モジュールの指示を受信する同時又は後に、切替時間又は前記OLTの指示を受信する切り替え時間を確定し、自体により確定した切り替え時間或いは前記OLTが指示した切り替え時間の後に前記ONUに適用するアップリンクバーストオーバーヘッドパラメータを使用し始める、ように設置される。
【０１０７】
前記ONUはバーストオーバーヘッドパラメータ集合受信モジュールをさらに含め、
前記バーストオーバーヘッドパラメータ集合受信モジュールは、待ち状態で、前記OLTは、異なる等級のリンク品質に対して、N種のアップリンクバーストオーバーヘッドパラメータ集合を確定して標識した後、前記ONUへ送信した、デフォルトした1種の、アップリンクバーストオーバーヘッドパラメータ集合のパラメータ値又はアップリンクバーストオーバーヘッドパラメータ集合の標識を受信し、且つ当該アップリンクバーストオーバーヘッドパラメータ集合を使用し、或いは、
待ち状態で、前記OLTは、異なる等級のリンク品質に対して、N種のアップリンクバーストオーバーヘッドパラメータ集合を確定して標識した後、前記ONUへ送信した1種以上の、アップリンクバーストオーバーヘッドパラメータ集合のパラメータ値又はアップリンクバーストオーバーヘッドパラメータ集合標識を受信し、且つその中の1種のアップリンクバーストオーバーヘッドパラメータ集合を使用し、
そのうち、Nが零よりも大きい整数であるように設置される。
【０１０８】
前記切替モジュールは、さらに、前記第1のパラメータ取得モジュールの指示を受信する同時又は後に、前記OLTはダウンリンクフレームによって前記ONUへ送信した、前記OLTがONUの帯域幅割り当てのマーク領域に、設置したアップリンクバーストオーバーヘッドパラメータの切替インデックス値を受信するように設置され、及び、前記切替モジュールは、前記切替インデックス値を受信した後、次のフレームに前記アップリンクバーストオーバーヘッドパラメータを使用するように、前記OLTが指示した切り替え時間の後に前記アップリンクバーストオーバーヘッドパラメータを使用し始めるように設置され、或いは、
前記切替モジュールは、さらに、前記第1のパラメータ取得モジュールの指示を受信する同時又は後に、前記OLTが前記ONUへ通知したスーパーフレーム番号を受信するように設置され、及び、前記切替モジュールは、前記スーパーフレーム番号が指示したフレームは到達した後に、前記アップリンクバーストオーバーヘッドパラメータを使用し始めるように、前記OLTが指示した切り替え時間の後に前記アップリンクバーストオーバーヘッドパラメータを使用し始めるように設置され、或いは
前記切替モジュールは、さらに、前記第1のパラメータ取得モジュールの指示を受信する同時又は後に、前記OLTへスーパーフレーム番号を通知するように設置され、及び、前記ONUは、前記スーパーフレーム番号が指示したフレームは到達した後に、前記アップリンクバーストオーバーヘッドパラメータを使用し始めるように、自体により確定した切り替え時間の後に前記アップリンクバーストオーバーヘッドパラメータを使用し始めるように設置される。
【０１０９】
上記システムに基づいて、本発明は、第2のパラメータ取得モジュール及び切り替え時間送受信モジュールを含む、アップリンクバーストオーバーヘッドパラメータを管理する光回線終端装置(OLT)をさらに提供し、
前記第2のパラメータ取得モジュールは、
前記OLTと光ネットワークユニット(ONU)との間のダウンリンクの伝送品質を検出し、前記伝送品質を前記ONUへ送信し、且つ前記ONUは前記OLTが送信した伝送品質によって確定された、ONUに適用するアップリンクバーストオーバーヘッドパラメータを受信し、或いは、
前記OLTとONUとの間のダウンリンクの伝送品質を検出して、前記伝送品質によってONUに適用するアップリンクバーストオーバーヘッドパラメータを確定し、且つ確定した、前記ONUに適用するアップリンクバーストオーバーヘッドパラメータを前記ONUに通知し、或いは、
前記ONUが送信した、前記ONUが検出して得られたダウンリンクの伝送品質を受信し、前記伝送品質によってONUに適用するアップリンクバーストオーバーヘッドパラメータを確定し、且つ確定した、前記ONUに適用するアップリンクバーストオーバーヘッドパラメータを前記ONUに通知し、或いは、
前記ONUが送信した、前記ONUの自体により検出して得られたダウンリンクの伝送品質によって確定された、ONUに適用するアップリンクバーストオーバーヘッドパラメータを受信し、及び、
確定した、前記ONUに適用するアップリンクバーストオーバーヘッドパラメータを前記ONUに通知する同時又は後に、或いは、ONUが送信した、前記ONUに適用するアップリンクバーストオーバーヘッドパラメータを受信する同時又は後に、前記切り替え時間送受信モジュールを指示する、ように設置され、
前記切り替え時間送受信モジュールは、
前記第2のパラメータ取得モジュールの指示を受信する同時又は後に、前記ONUへ切り替え時間を指示する或いは前記ONUが送信した切り替え時間を受信して、前記ONUに、前記切り替え時間の後に前記アップリンクバーストオーバーヘッドパラメータを使用し始めさせる、ように設置される。
【０１１０】
前記OLTは、
アップリンクバーストオーバーヘッドパラメータ集合の取得モジュールをさらに含み、それは、異なる等級のリンク品質に対してN種のアップリンクバーストオーバーヘッドパラメータ集合を確定して標識し、そのうち、Nが零よりも大きい整数であり、及び、デフォルトした1種の、アップリンクバーストオーバーヘッドパラメータ集合のパラメータ値又は標識を、前記ONUに送信し、或いは、アップリンクバーストオーバーヘッドパラメータ集合のパラメータ値又は標識を前記ONUに1種以上送信し、
前記ONUに、待ち状態で、アップリンクバーストオーバーヘッドパラメータ集合のパラメータ値又はアップリンクバーストオーバーヘッドパラメータの標識を1種受信させ、且つ当該アップリンクバーストオーバーヘッドパラメータ集合を使用させ、或いは、待ち状態で、前記1種以上の、アップリンクバーストオーバーヘッドパラメータ集合のパラメータ値又はアップリンクバーストオーバーヘッドパラメータ標識を受信させた後、その中の1種のアップリンクバーストオーバーヘッドパラメータ集合を使用させるように設置される。
【０１１１】
前記切り替え時間送受信モジュールは、ONUの帯域幅割り当てのマーク領域に、アップリンクバーストオーバーヘッドパラメータの切替インデックス値を設置し、ダウンリンクフレームによって前記ONUへ送信し、前記ONUに、前記切替インデックス値を受信した後、次のフレームに前記アップリンクバーストオーバーヘッドパラメータを使用させるように、前記ONUへ切り替え時間を指示する、ように設置され、或いは、
前記切り替え時間送受信モジュールは、前記ONUへスーパーフレーム番号を通知して、前記ONUに、前記OLTの前記スーパーフレーム番号で指示したフレームが到達した後に、前記アップリンクバーストオーバーヘッドパラメータを使用し始めさせるように、前記ONUへ切り替え時間を指示する、ように設置され、或いは、
前記切り替え時間送受信モジュールは、前記ONTにより通知したスーパーフレーム番号を受信して、前記ONUに、前記スーパーフレーム番号が指示したフレームが到達した後に、前記アップリンクバーストオーバーヘッドパラメータを使用し始めさせるように、前記ONUが送信した切り替え時間を受信する、ように設置される。
【０１１２】
以上に述べることは本発明の好適な実施例だけであり、本発明を制限することに用いられなく、本分野の当業者にとって、本発明は各種の変更及び変化を有することができる。本発明の精神及び原則の範囲内限り、作られたいずれかの修正、同等交換、改善等は、いずれも本発明の保護範囲内に含まれる。 
【産業上の利用可能性】
【０１１３】
本発明は帯域幅の利用率を向上させる可能になり、さらに、PONシステムにアップリンクバーストオーバーヘッドパラメータを指示する複雑度を低下させる可能になり、ONU及びOLTにアップリンクバーストオーバーヘッドパラメータを柔軟且つ簡単に選択させる。 
【図１】
0005563666.tif 000012
【図２】
0005563666.tif 000013
【図３】
0005563666.tif 000014
【図４】
0005563666.tif 000015
【図５】
0005563666.tif 000016
【図６】
0005563666.tif 000017
【図７】
0005563666.tif 000018
【図８】
0005563666.tif 000019
【図９】
0005563666.tif 000020